【手続補正書】
【提出日】平成18年2月3日(2006.2.3)
【手続補正１】
【補正対象書類名】明細書
【補正対象項目名】００１５
【補正方法】変更
【補正の内容】
【００１５】
また、反射光学素子を小さくするためには、第１移動レンズ群の移動量の方を第２移動レンズ群に比べて出来るだけ小さくすることが望ましい。本発明では、第１移動レンズ群と第２移動レンズ群は、開口絞りを挟んで隣接している。そこで、下記条件を満足するとよい。
０．５＜D3／D2＜１．４                                    （５）
但し、Ｄ２は広角端における第１移動レンズ群の最も像側の面頂から開口絞りまでの光軸に沿った距離、Ｄ３は開口絞りから第２移動レンズ群の最も物体側の面頂までの光軸に沿った距離である。
上限を上回ると望遠端のＦ値が暗くなりやすい。また、下限を下回ると反射光学素子としてのプリズムが肥大化しやすい。
なお、下記条件を満たすとより良い。
０．６＜D3／D2＜１．３                                    （５’）
さらに、下記条件を満たすと最良である。
０．７＜D3／D2＜１．２                                    （５"）
【手続補正２】
【補正対象書類名】明細書
【補正対象項目名】００１７
【補正方法】変更
【補正の内容】
【００１７】
また、フォーカスについては、第２移動レンズ群の像側にフォーカスレンズ群を配置するとよい。このフォーカスレンズ群は、フォーカス時にも移動可能である。その場合、変倍全域に亘りフォーカスのために移動する領域を、出来るだけ少なくするのが良い。これにより、フォーカスアクチュエーターを著しく小型化できる。従って、下記条件を満足すると良い。
０．８×１０2＜M4・S1＜６．０×１０2                      （６）
但し、M4はフォーカスレンズ群があらゆる状態の中で最も物体側に位置するときと最も像側に位置するときの距離差、S1はフォーカスレンズ群が最も物体側に位置するときに合焦されている被写体から光学系入射面までの距離（ｍｍ）である。
上限を上回ると、フォーカスのためのアクチュエーターが肥大化する。
なお、下記条件を満たすとより良い。
１．２×１０2＜M4・S1＜５．５×１０2                      （６’）
さらに、下記条件を満たすと最良である。
１．６×１０2＜M4・S1＜５．０×１０2                      （６"）
このほか、収差補正や主光線射出角を小さくすることを主たる目的として、最も像面に近いレンズ群を、像面に対して位置をほぼ固定して配置しても良い。このレンズ群はフォーカスレンズ群とは別である。そして、このレンズ群には、フィルターを添付したり、赤外カットのコートを施しても良い。
【手続補正３】
【補正対象書類名】明細書
【補正対象項目名】００２０
【補正方法】変更
【補正の内容】
【００２０】
（Ｂ）第１レンズ群は第１移動レンズ群の変倍効率を高めるためには、第１レンズ群全体としては、下記条件(12)を満たすように出来るだけ強い正のパワーにする必要がある。従って、第１レンズ群の正レンズに関しては、下記条件(13)を満たすようにするのが良い。つまり、前記正レンズについては、通過する軸外光線の高さの割に強いパワーを持たせるのが良い。同時に形状も下記条件(14)を満たすようにすると良い。
２．０≦ f1 ／ fw ≦１０．０                              （１２）
１．１≦ f12 ／ fw ≦５．０                               （１３）
−１．１＜（R1PF＋ R1PR）／（R1PF− R1PR）＜０．４        （１４）
但し、f1は第１レンズ群全体の焦点距離、f12は第１レンズ群中の正レンズの焦点距離、R1PF、R1PRはそれぞれ第１レンズ群の正レンズの物体側の面、像側の面の光軸上での曲率半径である。
条件(12)の下限を下回ると、第１移動レンズ群の変倍時の移動量の割に変倍率が少なくなる。また、上限を上回ると、軸外収差や色収差の補正が困難になる。または、前記プリズムが肥大化しやすい。条件(13)の上限を上回ると、第１移動レンズ群の変倍率が移動量の割に低くなる。そのため、光学系が大きくなりやすい。下限を下回ると、コマ収差、非点収差などの軸外収差の補正が困難となりやすい。条件(14)の上限を上回ると、第１レンズ群の主点が像側寄り傾向となる。そのため、第１移動レンズ群の変倍効率が悪化傾向となる。また、収差的にもコマ収差が発生しやすくなる。下限を下回ると、第１レンズ群中のレンズが強いメニスカス形状となる。そのため、第１移動レンズ群と干渉しやすくなり好ましくない。
また、少なくとも下記条件の何れか一つを満たすとより良い。
２．５≦ f1 ／ fw ≦８．０                                （１２'）
１．３≦ f12 ／ fw ≦４．０                               （１３'）
−０．９＜（R1PF＋ R1PR）／（R1PF− R1PR）＜０．２        （１４'）
さらに、少なくとも下記条件の何れか一つを満たすと最良である。
３．０≦ f1 ／ fw ≦６．０                                （１２"）
１．５≦ f12 ／ fw ≦３．２                               （１３"）
−０．７＜（R1PF＋ R1PR）／（R1PF− R1PR）＜０．０        （１４"）
【手続補正４】
【補正対象書類名】明細書
【補正対象項目名】００２４
【補正方法】変更
【補正の内容】
【００２４】
図１中、Ｉは電子撮像素子であるＣＣＤの撮像面、ＣＧは平面平板状のＣＣＤカバーガラスで、物体側から順に、本発明によるズームレンズと、カバーガラスＣＧと、撮像面Ｉが配置されている。
そして、第１実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に配置された、プリズムＰと、正の屈折力を有する後側副群とで構成されており、全体で正の屈折力を有している。プリズムＰは、物体側から順に、物体側に光路を折り曲げるための反射面ＲＦと、物体側に凹面であり光軸から離れるに従って発散性が弱まる非球面を持つ光線入射面ＩＦとを有している。また、プリズムＰは反射光学素子であって、光路を９０°折り曲げる反射プリズムとして構成されている。一方、後側副群は１枚の両凸正レンズＬ１で構成されている。
第２レンズ群Ｇ２は、物体側から順に、両凹負レンズＬ２1と、物体側に凸面を向けた正メニスカスレンズＬ２2とで構成されており、全体で負の屈折力を有している。
第３レンズ群Ｇ３は、両凸正レンズＬ３1と、両凸正レンズＬ３2と両凹負レンズＬ３3の接合レンズとで構成されており、全体で正の屈折力を有している。
第４レンズ群Ｇ４は、物体側に凸面を向けた正メニスカスレンズＬ４1と、物体側が凸面に形成され像側が平面に形成された凸平正レンズＬ４2とで構成されている。なお、この凸平正レンズＬ４2の凸面側には、必要に応じて反射防止コートや赤外カットコートが付設されている。また、平面側には、必要に応じ赤外カットコートや光学的ローパスフィルターが付設されている。
【手続補正５】
【補正対象書類名】明細書
【補正対象項目名】００３１
【補正方法】変更
【補正の内容】
【００３１】
図９中、Ｉは電子撮像素子であるＣＣＤの撮像面、ＣＧは平面平板状のＣＣＤカバーガラスで、物体側から順に、本発明によるズームレンズと、カバーガラスＣＧと、撮像面Ｉが配置されている。
そして、第２実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に配置された、プリズムＰと、正の屈折力を有する後側副群とで構成されており、全体で正の屈折力を有している。プリズムＰは、物体側から順に、物体側に光路を折り曲げるための反射面ＲＦと、物体側に凹面であり光軸から離れるに従って発散性が弱まる非球面を持つ光線入射面１Ｆとを有している。また、プリズムＰは反射光学素子であって、光路を９０°折り曲げる反射プリズムとして構成されている。一方、後側副群は１枚の両凸正レンズＬ１で構成されている。
第２レンズ群Ｇ２は、物体側から順に、両凹負レンズＬ２1と、物体側に凸面を向けた正メニスカスレンズＬ２2とで構成されており、全体で負の屈折力を有している。
第３レンズ群Ｇ３は、両凸正レンズＬ３1と、両凸正レンズＬ３2と両凹負レンズＬ３3の接合レンズとで構成されており、全体で正の屈折力を有している。
第４レンズ群Ｇ４は、物体側に凸面を向けた正メニスカスレンズＬ４1と、物体側が凸面に形成され像側が平面に形成された凸平正レンズＬ４2とで構成されている。なお、この凸平正レンズＬ４2の凸面側には、必要に応じ反射防止コートや赤外カットコートが、また、平面側には、必要に応じ赤外カットコートや光学的ローパスフィルターが付設されている。
【手続補正６】
【補正対象書類名】明細書
【補正対象項目名】００３７
【補正方法】変更
【補正の内容】
【００３７】
図１７中、Ｉは電子撮像素子であるＣＣＤの撮像面、ＣＧは平面平板状のＣＣＤカバーガラスで、物体側から順に、本発明によるズームレンズと、カバーガラスＣＧと、撮像面Ｉが配置されている。
そして、第３実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に配置された、プリズムＰと、正の屈折力を有する後側副群とで構成されており、全体で正の屈折力を有している。プリズムＰは、物体側から順に、物体側に光路を折り曲げるための反射面ＲＦと、物体側に凹面であり光軸から離れるに従って発散性が弱まる非球面を持つ光線入射面ＩＦとを有している。また、プリズムＰは反射光学素子であって、光路を９０°折り曲げる反射プリズムとして構成されている。一方、後側副群は１枚の両凸正レンズＬ１で構成されている。
第２レンズ群Ｇ２は、物体側から順に、両凹負レンズＬ２1と、両凸正レンズＬ２2とで構成されており、全体で負の屈折力を有している。
第３レンズ群Ｇ３は、両凸正レンズＬ３1と、両凸正レンズＬ３2と両凹負レンズＬ３3の接合レンズとで構成されており、全体で正の屈折力を有している。
第４レンズ群Ｇ４は、物体側に凸面を向けた正メニスカスレンズＬ４1と、物体側が凸面に形成され像側が平面に形成された凸平正レンズＬ４2とで構成されている。なお、この凸平正レンズＬ４2の凸面側には、必要に応じ反射防止コートや赤外カットコートが、また、平面側には、必要に応じ赤外カットコートや光学的ローパスフィルターが付設されている。
【手続補正７】
【補正対象書類名】明細書
【補正対象項目名】００３８
【補正方法】変更
【補正の内容】
【００３８】
第３実施例のズームレンズにおいては、無限遠物点合焦時において広角端から望遠端へと変倍する際には、第１レンズ群Ｇ１は位置が固定され、第２レンズ群Ｇ２は像側へ移動し、開口絞りＳは位置が固定され、第３レンズ群Ｇ３は物体側へ移動し、第４レンズ群は位置が固定されるようになっている。
また、合焦動作時には、第４レンズ群Ｇ４が光軸上を移動するようになっている。
非球面は、第１レンズ群Ｇ１中のプリズムＰの光線入射面ＩＦのほかに、第１レンズ群Ｇ１中の両凸正レンズＬ１の物体側の面、第２レンズ群Ｇ２中の両凹負レンズＬ２1の両面、第３レンズ群Ｇ３中の両凸正レンズＬ３1の両面にそれぞれ設けられている。
【手続補正８】
【補正対象書類名】明細書
【補正対象項目名】００４５
【補正方法】変更
【補正の内容】
【００４５】
（３）前記第２移動レンズ群の像側にフォーカスのために移動可能であるレンズ群を有する請求項１乃至３の何れかまたは上記（１）または（２）に記載のズームレンズ。